(57)【特許請求の範囲】
【請求項１】
電子書籍データを蓄積したインターネット上の電子書籍管理サーバー及び電子文書データを蓄積したローカルネットワーク上の文書管理サーバーに接続し、前記電子書籍管理サーバー又は前記文書管理サーバーから電子書籍データ又は電子文書データを取得して表示する電子書籍端末であって、
表示した電子書籍データ又は電子文書データに対して任意のメモデータを作成・追加するメモ作成部と、
追加したメモデータを、インターネット上の前記電子書籍管理サーバー又はローカルネットワーク上の前記文書管理サーバーに保存させるメモ管理部と、を有し、
前記メモ管理部によるメモデータの保存先を選択可能であることを特徴とする電子書籍端末。
【請求項２】
前記メモ作成部により作成されるメモデータは、他の電子書籍データ又は電子文書データに対するリンクを含むことを特徴とする請求項１に記載の電子書籍端末。
【請求項３】
前記メモ作成部により作成されるメモデータは、他の電子書籍データ又は電子文書データに対して作成されたメモデータに対するリンクを含むことを特徴とする請求項１に記載の電子書籍端末。
【請求項４】
前記メモ作成部は、電子書籍データ又は電子文書データに対して、他の電子書籍データ又は電子文書データへのリンクを含むメモデータを作成・追加した際、当該他の電子書籍データ又は電子文書データに対して、前記電子書籍データ又は電子文書データからリンクが張られたこと示す逆リンクを含むメモデータを作成・追加することを特徴とする請求項２に記載の電子書籍端末。
【請求項５】
前記メモ作成部により前記電子書籍データに追加されたメモデータが、前記電子文書データへのリンクを含む場合、前記メモ管理部は、前記メモデータを前記ローカルネットワーク上の文書管理サーバーに保存することを特徴とする請求項３に記載の電子書籍端末。
【請求項６】
前記メモ作成部により前記電子文書データに対し作成されたメモデータが、前記電子書籍データに対するリンクを含み、当該電子書籍データに対し、前記電子文書データに対する前記逆リンクを含むメモデータが作成された場合、
前記メモ管理部は、前記逆リンクを含むメモデータを、前記ローカルネットワーク上の電子文書管理サーバーに保存することを特徴とする請求項４に記載の電子書籍端末。
【請求項７】
前記メモ管理部によるメモデータのデフォルトの保存先を設定可能であることを特徴とする請求項１に記載の電子書籍端末。
【請求項８】
前記メモ管理部によるメモデータのデフォルトの保存先を、電子書籍データ毎に設定可能であることを特徴とする請求項１に記載の電子書籍端末。
【請求項９】
無線ＬＡＮ機能を備え、該無線ＬＡＮ機能によって前記ローカルネットワークに接続している場合、前記メモ管理部は、前記電子書籍データ又は電子文書データに追加したメモデータを、ローカルネットワーク上の前記文書管理サーバーに保存することを特徴とする請求項１に記載の電子書籍端末。
【請求項１０】
公衆無線回線に接続する機能を備え、前記公衆無線回線を経由して前記ローカルネットワークに接続している場合、前記メモ管理部は、前記電子書籍データ又は電子文書データに追加したメモデータをローカルネットワーク上の前記文書管理サーバーに保存することを特徴とする請求項１に記載の電子書籍端末。
【請求項１１】
電子書籍データを蓄積したインターネット上の電子書籍管理サーバー及びローカルネットワーク上の文書管理サーバーと、前記電子書籍管理サーバー又は前記文書管理サーバーから電子書籍データ又は電子文書データを取得して表示する請求項１乃至１０の何れか一項に記載の電子書籍端末と、備えことを特徴とする電子書籍システム。
【請求項１２】
メモ作成部と、メモ管理部と、を有し、電子書籍データを蓄積したインターネット上の電子書籍管理サーバー及び電子文書データを蓄積したローカルネットワーク上の社内文書管理サーバーに接続し、前記電子書籍管理サーバー又は前記社内文書管理サーバーから電子書籍データ又は電子文書データを取得して表示する電子書籍端末のメモ管理方法であって、
前記メモ作成部が、表示した電子書籍データ又は電子文書データに対して任意のメモデータを作成・追加するステップと、
前記メモ管理部が、追加したメモデータを、インターネット上の前記電子書籍管理サーバー又はローカルネットワーク上の前記文書管理サーバーに保存させるステップと、を有し、
前記メモ管理部によるメモデータの保存先を選択可能であることを特徴とするメモ管理方法。
【請求項１３】
前記メモ作成部により作成されるメモデータは、他の電子書籍データ又は電子文書データに対するリンクを含み、
前記メモ作成部が、電子書籍データ又は電子文書データに対して、他の電子書籍データ又は電子文書データへのリンクを含むメモデータを作成・追加した際、当該他の電子書籍データ又は電子文書データに対して、前記電子書籍データ又は電子文書データからリンクが張られたこと示す逆リンクを含むメモデータを作成・追加するステップを含むことを特徴とする請求項１２に記載のメモ管理方法。
【請求項１４】
前記メモ作成部により前記電子書籍データに追加されたメモデータが、前記電子文書データへのリンクを含む場合、前記メモ管理部が、前記メモデータを前記ローカルネットワーク上の文書管理サーバーに保存するステップを含むことを特徴とする請求項１３に記載のメモ管理方法。
【請求項１５】
前記メモ作成部により前記電子文書データに対し作成されたメモデータが、前記電子書籍データに対するリンクを含み、当該電子書籍データに対し、前記電子文書データに対する前記逆リンクを含むメモデータが作成された場合、
前記メモ管理部が、前記逆リンクを含むメモデータを、前記ローカルネットワーク上の電子文書管理サーバーに保存するステップを含むことを特徴とする請求項１２乃至１４の何れか一項に記載のメモ管理方法。
【請求項１６】
無線ＬＡＮ機能によって前記ローカルネットワークに接続している場合、
前記メモ管理部は、前記電子書籍データ又は電子文書データに追加したメモデータを、ローカルネットワーク上の前記文書管理サーバーに保存することを特徴とする請求項１２乃至１５の何れか一項記載のメモ管理方法。
【請求項１７】
公衆無線回線を経由して前記ローカルネットワークに接続している場合、
前記メモ管理部が、前記電子書籍データ又は電子文書データに追加したメモデータをローカルネットワーク上の前記文書管理サーバーに保存するステップを含むことを特徴とする請求項１２乃至１５の何れか一項に記載のメモ管理方法。
【請求項１８】
請求項１２乃至１７の何れか一項に記載のメモ管理方法をコンピュータに実現させるためのプログラム。
【発明の詳細な説明】
【技術分野】
【０００１】
本発明は、電子書籍端末に関し、特に表示するコンテンツに対してメモを付与可能な電子書籍端末に関する。
【背景技術】
【０００２】
昨今、紙のように読みやすく、軽量で、消費電力の少ない電子書籍端末が実用化されてきている。また、かかる電子書籍端末で読書をする際に、メモ書きを行い、電子書籍コンテンツデータに関連付けて保存する方法が実現されている。
さらに、電子書籍端末の故障やソフトウェアの不具合等によってメモデータが失われてしまう問題を避けるため、メモデータをインターネット上の電子書籍管理サーバーで管理することにより、例えばメモデータを追記したものと異なる電子書籍端末でコンテンツを開いた場合にも、メモデータを復元して表示する技術が考えられ既に知られている。
例えば特許文献１には、電子書籍に付与する栞をサーバー上で管理して、電子コンテンツ表示時に栞の位置を正しく再現して表示する目的で、電子コンテンツの位置情報と、栞の挿入位置を管理する方法が開示されている。
【発明の概要】
【発明が解決しようとする課題】
【０００３】
しかし、従来の電子書籍端末では、市場に流通している電子書籍を私的に読むことが主眼になっており、ビジネス用途で利用するのに必要となる、メモデータを管理する上でのセキュリティ対策がなされていないことが問題になっている。
例えば、業務上必要な情報を電子書籍から得る場合に、メモデータをインターネット上の電子書籍管理サーバーに蓄積すると業務上の情報がインターネット上に保存されることになり、セキュリティ上の問題が発生する虞があるためメモを付けられないという不便が生じる問題がある。また、社内のサーバーに蓄積された業務に関する社内文書を電子書籍端末で閲覧しながら、他の電子書籍端末で一般電子書籍を読む場合、コンテンツ間にリンクを張って、参照しやすくする方法が考えられるが、一般電子書籍に社内文書へのリンクを張ったり、社内文書から一般電子書籍にリンクを張った時に一般電子書籍に付与される逆リンク（他の社内文書からリンクを張られたことを示す情報）が、インターネット上の電子書籍管理サーバーに保存されると、そのリンクからどのような情報を業務上得ようとしているかを他社に知られてしまうリスクが生じるという問題があった。
本発明は、以上の問題点を鑑みて、これらのメモやリンクをインターネット上の電子書籍管理サーバーに蓄積することなく、ローカルネットワーク上の文書管理サーバに保存できるようにしたことで、電子書籍端末に付与したメモデータをセキュアに管理することが出来る電子書籍端末を提供することを目的とする。
【課題を解決するための手段】
【０００４】
上記の課題を解決するために、請求項１の発明は、電子書籍データを蓄積したインターネット上の電子書籍管理サーバー及び電子文書データを蓄積したローカルネットワーク上の文書管理サーバーに接続し、前記電子書籍管理サーバー又は前記文書管理サーバーから電子書籍データ又は電子文書データを取得して表示する電子書籍端末であって、表示した電子書籍データ又は電子文書データに対して任意のメモデータを作成・追加するメモ作成部と、追加したメモデータを、インターネット上の前記電子書籍管理サーバー又はローカルネットワーク上の前記文書管理サーバーに保存させるメモ管理部と、を有し、前記メモ管理部によるメモデータの保存先を選択可能である電子書籍端末を特徴とする。
また、請求項２の発明は、前記メモ作成部により作成されるメモデータは、他の電子書籍データ又は電子文書データに対するリンクを含む請求項１に記載の電子書籍端末を特徴とする。
また、請求項３の発明は、前記メモ作成部により作成されるメモデータは、他の電子書籍データ又は電子文書データに対して作成されたメモデータに対するリンクを含む請求項１に記載の電子書籍端末を特徴とする。
【０００５】
また、請求項４の発明は、前記メモ作成部は、電子書籍データ又は電子文書データに対して、他の電子書籍データ又は電子文書データへのリンクを含むメモデータを作成・追加した際、当該他の電子書籍データ又は電子文書データに対して、前記電子書籍データ又は電子文書データからリンクが張られたこと示す逆リンクを含むメモデータを作成・追加する請求項２に記載の電子書籍端末を特徴とする。
また、請求項５の発明は、前記メモ作成部により前記電子書籍データに追加されたメモデータが、前記電子文書データへのリンクを含む場合、前記メモ管理部は、前記メモデータを前記ローカルネットワーク上の文書管理サーバに保存する請求項３に記載の電子書籍端末を特徴とする。
また、請求項６の発明は、前記メモ作成部により前記電子文書データに対し作成されたメモデータが、前記電子書籍データに対するリンクを含み、当該電子書籍データに対し、前記電子文書データに対する前記逆リンクを含むメモデータが作成された場合、前記メモ管理部は、前記逆リンクを含むメモデータを、前記ローカルネットワーク上の電子文書管理サーバーに保存する請求項４に記載の電子書籍端末を特徴とする。
【０００６】
また、請求項７の発明は、前記メモ管理部によるメモデータのデフォルトの保存先を設定可能である請求項１に記載の電子書籍端末を特徴とする。
また、請求項８の発明は、前記メモ管理部によるメモデータのデフォルトの保存先を、電子書籍データ毎に設定可能である請求項１に記載の電子書籍端末を特徴とする。
また、請求項９の発明は、無線ＬＡＮ機能を備え、該無線ＬＡＮ機能によって前記ローカルネットワークに接続している場合、前記メモ管理部は、前記電子書籍データ又は電子文書データに追加したメモデータを、ローカルネットワーク上の前記文書管理サーバーに保存する請求項１に記載の電子書籍端末を特徴とする。
また、請求項１０の発明は、公衆無線回線に接続する機能を備え、前記公衆無線回線を経由して前記ローカルネットワークに接続している場合、前記メモ管理部は、前記電子書籍データ又は電子文書データに追加したメモデータをローカルネットワーク上の前記文書管理サーバーに保存する請求項１に記載の電子書籍端末を特徴とする。
また、請求項１１の発明は、電子書籍データを蓄積したインターネット上の電子書籍管理サーバー及びローカルネットワーク上の文書管理サーバーと、前記電子書籍管理サーバー又は前記文書管理サーバーから電子書籍データ又は電子文書データを取得して表示する請求項１乃至１０の何れか一項に記載の電子書籍端末と、備え電子書籍システムを特徴とする。
【０００７】
また、請求項１２の発明は、メモ作成部と、メモ管理部と、を有し、電子書籍データを蓄積したインターネット上の電子書籍管理サーバー及び電子文書データを蓄積したローカルネットワーク上の社内文書管理サーバーに接続し、前記電子書籍管理サーバー又は前記社内文書管理サーバーから電子書籍データ又は電子文書データを取得して表示する電子書籍端末のメモ管理方法であって、前記メモ作成部が、表示した電子書籍データ又は電子文書データに対して任意のメモデータを作成・追加するステップと、前記メモ管理部が、追加したメモデータを、インターネット上の前記電子書籍管理サーバー又はローカルネットワーク上の前記文書管理サーバーに保存させるステップと、を有し、前記メモ管理部によるメモデータの保存先を選択可能であるメモ管理方法を特徴とする。
また、請求項１３の発明は、前記メモ作成部により作成されるメモデータは、他の電子書籍データ又は電子文書データに対するリンクを含み、前記メモ作成部が、電子書籍データ又は電子文書データに対して、他の電子書籍データ又は電子文書データへのリンクを含むメモデータを作成・追加した際、当該他の電子書籍データ又は電子文書データに対して、前記電子書籍データ又は電子文書データからリンクが張られたこと示す逆リンクを含むメモデータを作成・追加するステップを含む請求項１２に記載のメモ管理方法を特徴とする。
また、請求項１４の発明は、前記メモ作成部により前記電子書籍データに追加されたメモデータが、前記電子文書データへのリンクを含む場合、前記メモ管理部が、前記メモデータを前記ローカルネットワーク上の文書管理サーバーに保存するステップを含む請求項１３に記載のメモ管理方法を特徴とする。
【０００８】
また、請求項１５の発明は、前記メモ作成部により前記電子文書データに対し作成されたメモデータが、前記電子書籍データに対するリンクを含み、当該電子書籍データに対し、前記電子文書データに対する前記逆リンクを含むメモデータが作成された場合、前記メモ管理部が、前記逆リンクを含むメモデータを、前記ローカルネットワーク上の電子文書管理サーバーに保存するステップを含む請求項１２乃至１４の何れか一項に記載のメモ管理方法を特徴とする。
また、請求項１６の発明は、無線ＬＡＮ機能によって前記ローカルネットワークに接続している場合、前記メモ管理部は、前記電子書籍データ又は電子文書データに追加したメモデータを、ローカルネットワーク上の前記文書管理サーバーに保存する請求項１２乃至１５の何れか一項に記載のメモ管理方法を特徴とする。
また、請求項１７の発明は、公衆無線回線を経由して前記ローカルネットワークに接続している場合、前記メモ管理部が、前記電子書籍データ又は電子文書データに追加したメモデータをローカルネットワーク上の前記文書管理サーバーに保存するステップを含む請求項１２乃至１５の何れか一項に記載のメモ管理方法を特徴とする。
また、請求項１８の発明は、請求項１２乃至１７の何れか一項に記載のメモ管理方法をコンピュータに実現させるためのプログラムを特徴とする。
【発明の効果】
【０００９】
以上のように構成した本発明の電子書籍端末によれば、会社の業務に関連した電子書籍を読む場合、その電子書籍へのメモ、もしくは業務に関連のある内容のメモは、電子書籍のコンテンツを管理するインターネット上の電子書籍管理サーバーではなく、ローカルのサーバー上に保存することがでるので、セキュリティを高めることができる。
【図面の簡単な説明】
【００１０】
【図１】本発明の実施の形態例にかかる電子書籍端末を適用可能なシステムの構成例を示した図。
【図２】本発明の実施の形態の一例に係る電子書籍端末の概略構成を示す図。
【図３】図１に示す電子書籍端末のハードウェア構成を説明するブロック図。
【図４】電子書籍端末におけるソフトウェア構成を示す図。
【図５】インターネット上の電子書籍に読書メモを付けた画面例を示す図。
【図６】図５のメモの内容を展開して表示した例を示す図。
【図７】インターネット上の電子書籍に付与したメモに電子書籍及び社内文書へのリンクが含まれる場合の画面例を示す図。
【図８】インターネット上の電子書籍に逆リンクのアイコンが表示される画面例を説明する図。
【図９】図８に示すメモのアイコンを展開した例を示す図。
【図１０】社内文書に、電子書籍からの逆リンクのアイコンが表示される画面例を説明する図。
【図１１】一つの電子書籍端末１上に複数のコンテンツを画面分割表示によって表示した画面例を示す図。
【図１２】図１に示す電子書籍管理サーバーの電子書籍データ管理部及びメモデータ管理部におけるデータの管理方法を説明する図。
【図１３】図１に示す電子書籍管理サーバーにおいて、他の電子書籍管理サーバーで管理されている電子書籍や、社内文書管理サーバーで管理されている社内文書へのリンクや逆リンクが管理されている例を示す図。
【図１４】図１に示す社内文書管理サーバーの社内文書データ管理部及びメモデータ管理部で管理しているデータの管理方法を説明する図。
【図１５】電子書籍端末におけるコンテンツの管理画面を説明する図。
【図１６】電子書籍端末のリンクの設定画面について説明する図。
【図１７】図１６に示す設定画面で一つのコンテンツを選択した場合の例を示す図。
【図１８】１つのコンテンツに対して複数のユーザーのつけたメモのうち、アクセス権のあるものを表示した画面例を示す図。
【図１９】電子書籍端末でコンテンツに対してメモを付け、サーバー上に保存する設定を決定する第１の処理例を説明するフローチャート。
【図２０】電子書籍端末でコンテンツに対してメモを付け、サーバー上に保存する設定を決定する第２の処理例を説明するフローチャート。
【図２１】電子書籍端末でコンテンツに対してメモを付け、サーバー上に保存する設定を決定する第３の処理例を説明するフローチャート。
【図２２】電子書籍端末でコンテンツに対してメモを付け、サーバー上に保存する設定を決定する第４の処理例を説明するフローチャート。
【図２３】電子書籍端末でコンテンツに対してメモを付け、サーバー上に保存する設定を決定する第５の処理例を説明するフローチャート。
【図２４】電子書籍端末でコンテンツに対してメモを付け、サーバー上に保存する設定を決定する第６の処理例を説明するフローチャート。
【図２５】２つのコンテンツの間にリンクを設定する場合の処理例を説明するフローチャート。
【図２６】２つのメモの間にリンクを設定する場合の別の処理例を説明するフローチャート。
【図２７】社外で電子書籍管理サーバー上の電子書籍を表示する際、メモデータも同一のサーバー上にある場合の処理例を示すフローチャート。
【図２８】社外で電子書籍管理サーバー上の電子書籍を表示する際、メモデータは企業の社内ＬＡＮ上のサーバーに保存されている場合の処理例を示すフローチャート。
【図２９】社外で電子書籍管理サーバー上の電子書籍を表示する際、メモデータは企業の社内ＬＡＮ上のサーバーに保存されている場合の処理例を示すフローチャート。
【図３０】社内で社内ＬＡＮ上にある社内文書管理サーバー上の社内文書を表示する際コンテンツ及びメモを受信する処理例を示すフローチャート。
【図３１】社内で電子書籍管理サーバー上の電子書籍を表示する際、公衆移動体通信網を介した通信が可能な場合の例を示すフローチャート。
【図３２】社内で電子書籍管理サーバー上の電子書籍を表示する際、無線ＬＡＮアクセスポイントを介して、社内ＬＡＮにアクセスし、プロキシサーバーを介してインターネットに接続する場合の処理例を示すフローチャート。
【図３３】インターネット上の電子書籍管理サーバーで管理するメモデータの登録処理を示すフローチャート。
【図３４】社内文書管理サーバーで管理するメモデータの登録処理を示すフローチャート。
【図３５】同一の電子書籍管理サーバーで管理される電子書籍の間にリンクを張る場合の処理を示すフローチャート。
【図３６】異なる電子書籍管理サーバーで管理される電子書籍の間にリンクを張る場合の処理を示すフローチャート。
【図３７】社内文書に対してインターネット上の電子書籍へのリンクを作成する場合の処理を示すフローチャート。
【図３８】インターネット上の電子書籍に対して、社内文書へのリンクを作成する場合の処理を示すフローチャート。
【発明を実施するための形態】
【００１１】
以下に、図面を参照して本発明の実施の形態例を詳細に説明する。
図１は、本発明の実施の形態例にかかる電子書籍端末を適用可能なシステムの構成例を示した図である。
本例のシステムにおいて、社内文書（電子文書データ）を蓄積・管理する社内文書管理サーバー（文書管理サーバー）１０を含むローカルネットワークである企業内ＬＡＮ(Local Area Network)２０が、社外のサービスであり一般の電子書籍を蓄積・管理する電子書籍管理サーバー３０とインターネット４０を介して接続されており、本発明の電子書籍端末１（Ａ〜Ｄ）は、社内文書管理サーバー１０、電子書籍管理サーバー３０に接続して社内文書や電子書籍を取得・表示可能な構成となっている。
なお、電子書籍管理サーバー３０は、図１では１つのみ示しているが、これに限らず、インターネット上に複数存在ようにしてもよい。
なお、後述するが、電子書籍端末１は、無線ＬＡＮ通信と公衆移動体通信を行う無線通信インターフェイスを備えており、携帯電話網等を通したインターネットへのアクセス、企業の社内ＬＡＮに接続の双方を行うことができ、インターネット上、社内ＬＡＮ上に設けられたサーバーから電子書籍、社内文書を取得して表示することが出来る。
【００１２】
図１において、電子書籍端末１−Ａと１−Ｂは社内にあり、社内に設置された無線ＬＡＮアクセスポイント２１を介して社内ＬＡＮ２０に接続し、社内ＬＡＮ２０に接続された社内文書管理サーバー１０に接続出来る。
ここで、電子書籍端末１−Ａは、社内文書管理サーバー１０から社内文書をダウンロードして表示している。
社内にある電子書籍端末１−Ｂは、アクセスポイント４３から接続した公衆移動体通信網４２からインターネット４０にアクセスするか、又は無線ＬＡＮアクセスポイント２１を経由して社内ＬＡＮ５０からプロキシ(Proxy)サーバー２２を介してファイアウォール(Firewall)２４を通り、インターネット４０に接続することにより、インターネット４０上の電子書籍管理サーバー３０にアクセスし、電子書籍をダウンロードして表示しているものとする。
社外にある電子書籍端末１−Ｃと１−Ｄのうち、電子書籍端末１−Ｃは、アクセスポイント４３から接続した公衆移動体通信網４２及びインターネット４０を介して、社内のファイアウォール２４内部にあるＶＰＮ（Virtual Private Network）サーバー２３に接続し、ＶＰＮクライアント機能によって、社内ＬＡＮ２０に外部からリモートアクセスし、社内文書管理サーバー１０から社内文書をダウンロードして表示しているものとする。
【００１３】
また、電子書籍端末Ｄは、公衆移動体通信網４２及びインターネット４０を経由して電子書籍管理サーバー３０にアクセスし、電子書籍をダウンロードして表示しているものとする。
さらに、図１において、社内文書管理サーバー１０は、電子書籍端末で作成したコンテンツに対する読書メモやコンテンツ間又はコンテンツ内に張ったリンクに関するデータを管理するメモデータ管理部１１、社内文書データを保管する社内文書データ管理部１２、社内文書データ管理部に社内文書データを登録する社内文書登録部１３、電子書籍端末についての端末情報を管理する端末情報管理部１４、ユーザー認証を行う認証部１５から構成される。
また、電子書籍管理サーバー３０は、電子書籍端末で作成したコンテンツに対する読書メモや、コンテンツ間又はコンテンツ内に張ったリンクに関するデータを管理するメモデータ管理部３１、電子書籍コンテンツの販売を行うコンテンツ販売部３２、電子書籍データを保管する電子書籍データ管理部３３、端末情報を管理する端末情報管理部３４、ユーザーに対して課金を行う課金部３５、ユーザー認証を行う認証部３６から構成される。
【００１４】
図２は、本発明の実施の形態の一例に係る電子書籍端末の概略構成を示す図である。
本発明の電子書籍端末は、電子書籍管理サーバー３０から取得した電子書籍や社内文書管理サーバー１０から取得した社内文書を表示して、それに対しメモデータを付加することができ、付加したメモデータを、社内文書管理サーバー１０又は電子書籍管理サーバー３０にアップロードすることで、例えばメモデータを追記したものと異なる電子書籍端末でコンテンツを開いた場合にも、サーバーからメモデータをダウンロード・復元して閲覧することが出来る。
本発明の電子書籍端末は、作成したメモデータの保存先を任意に設定可能である。
従って、追記した任意のメモデータ、任意の電子書籍の全てのメモデータの保存先を、電子書籍コンテンツを管理するインターネット４０上の電子書籍管理サーバーではなく、社内のＬＡＮ上にあるサーバーに設定することで、業務に関係のあるようなメモデータをセキュアに管理することが出来る。
【００１５】
また、一般の電子書籍について作成したメモデータに、社内文書に対して張ったハイパーリンクが含まれる場合、そのメモデータを自動的に社内のＬＡＮ上にある社内文書管理サーバー上に保存するようにし、さらに、社内文書について作成するメモデータにおいて、一般の電子書籍に対するハイパーリンクを張った際に当該一般電子書籍に自動的に付与される逆リンクデータも、自動的に社内のＬＡＮ上にあるサーバー上に保存するようにすることで、業務に関係するメモデータをよりセキュアに管理することが出来る。
また、電子書籍端末ごとにデフォルトの保存先を設定したり、コンテンツごとにデフォルトの保存先を設定することで、メモデータの設定先をその都度変更する手間を省くことが出来るとともに、機密情報を誤ってインターネット上の電子書籍管理サーバーに保存してしまうことを回避することが出来る。
また、同一のコンテンツに対して、複数のユーザーがメモを付けることを可能とし、他のユーザーが付けたメモを閲覧し、他のユーザーが付けたメモに対してリンクを張る機能を設けることで、電子書籍の回し読みにより情報が共有しやすくし、内容の理解を深め、情報の検索性が向上させることが出来る。
【００１６】
図２に示すように、本発明の実施の形態に係る電子書籍端末１は、電子書籍や社内文書コンテンツを表示する機能を有し、反射型液晶もしくはバックライトを有する透過型液晶で構成される（タッチパネル入力機能を有していても良い）表示部５２と、表示部５２に表示するコンテンツを変更する場合に利用するためのボタンである「本変更」ボタン５３と、表示するページを移動するためのボタンである「前頁」ボタン５４、「次頁」ボタン５５、「冒頭」ボタン５６、「末尾」ボタン５７、表示部５２に表示するコンテンツの文字サイズを変更するためのボタンである「拡大」ボタン５８、「縮小」ボタン５９、表示部５２におけるコンテンツの縦表示、横表示を切り替えるボタンである「向き」ボタン６０、電子書籍もしくは社内文書に読書メモを挿入、もしくはメモを編集するためのボタンである「メモ」ボタン６１、メモ内容を編集したり、電子書籍の購入・閲覧時等にユーザー認証が行われる場合に文字を入力したりするための入力手段であるキーボード６２を備えている。
【００１７】
さらに、電子書籍端末１は、上述のように無線通信機能を有し、接続中はＬＥＤ等で構成される発光部６３〜６５の点灯によって、ユーザーに機能の利用を通知する。すなわち、図１に示した公衆移動体通信網４２で通信している時は「ネット接続」の発光部６３が点灯し、無線ＬＡＮを利用中は「無線ＬＡＮ」の発光部６４が点灯する。
また、インターネット上の電子書籍ではなく、企業の社内文書を表示している場合、または企業の社内ＬＡＮ２０（図１）に接続している場は、「社内」の発光部６５が点灯し、ユーザーにセキュリティ上の注意を促す。
なお、「電源」の発光部６６は、電子書籍端末１の通電状態を示す発光部である。
【００１８】
図３は、図１に示す電子書籍端末１のハードウェア構成を説明するブロック図である。
図３に示すように、電子書籍端末１は、電子書籍端末としての機能を実現するために図３に示す各種のプログラムを実行するとともに、電子書籍端末１の各コンポーネントの動作制御を行う制御部としてのＣＰＵ７１、ＣＰＵ７１による実行のために上記した各種のプログラムが展開され、また、電子書籍や社内文書のコンテンツや他の一時的なデータが展開されるメインメモリとしてのＲＡＭ（Random Access Memory）７２、各種のプログラムやコンテンツの閲覧履歴等を格納しておくためのフラッシュメモリやハードディスク等の主記憶装置７３、バッテリー７４、図１で示した表示部７２としての液晶パネルへの表示信号の制御を行うビデオコントローラ７５、タッチパネル７６（表示部５２がタッチパネル入力機能を有する場合）、無線ＬＡＮアクセスポイント２１（図１）に接続するための無線ＬＡＮインターフェイス（Ｉ／Ｆ）７７、公衆移動体通信網４２（図１）に接続するための公衆移動体通信Ｉ／Ｆ７８がバス７９に接続された構成を有している。
さらに、図２で説明した各種ボタン５３〜６１、発光部６３〜６６、キーボード６２を備えている。
【００１９】
図４は、電子書籍端末１におけるソフトウェア構成を示す図であり、図３のメインメモリ（ＲＡＭ）７２に展開されてＣＰＵ７１により実行される各種プログラムの一覧を示している。
図４に示すように、電子書籍端末１では、インターネット上のサービスから取得可能な電子書籍、または社内文書のコンテンツを液晶パネル５２に表示するコンテンツ表示部８０と、「メモ」ボタン６１（図２）が押下された時に実行されてキーボード６２による入力に従って（タッチパネルを利用する際は、ソフトウェアキーボードであってもよい）コンテンツに対するメモを作成するメモ作成部８１と、作成したメモの保存場所（図１に示すインターネット上の電子書籍管理サーバー３０あるいは社内文書管理サーバー１０）の管理、保存場所へのアップロードを行うメモ管理部８２と、作成したメモ、あるいは保存場所からダウンロードしたメモを電子書籍または社内文書のコンテンツの正しい位置に表示するメモ表示部８３と、メモ作成部８１によって作成されたメモに電子書籍や社内文書間、あるいは同一コンテンツ内に張られたリンクが含まれる場合に、リンク及び逆リンクのインターネット上又は社内ＬＡＮ上のサーバーへの登録を行う（あるコンテンツから他のコンテンツにリンクを張った場合に、その情報をリンクとして登録し、逆に、リンクを張られたコンテンツについてはリンクを張られたことを示す逆リンクを登録する）リンク管理部８４と、電子書籍端末１を他人に勝手に使われないようユーザー認証を行うユーザー認証部８５と、バッテリー残量をモニターし、残量が減った場合に、ユーザーへの通知、機能の制限または性能を落とすことにより、バッテリーの消費量を加減するバッテリー管理部８６と、インターネットもしくは企業の社内ＬＡＮ上にあるコンテンツの閲覧、購入等を行うためのＷｅｂブラウザ８７と、インターネット４０から社内ＬＡＮ２０にリモートアクセスするためのＶＰＮクライアント８８と、電子書籍端末１で開いたコンテンツの履歴等を管理するコンテンツ管理部８９と、電子書籍端末１の固有の情報、利用者の認証情報の管理を行う端末情報管理部９０と、が実行されている。
【００２０】
以下に、本発明の電子書籍端末において、読書メモを表示した画面例を説明する。
図５は、インターネット上の電子書籍に読書メモを付けた画面例を示す図である。
図５において、無地のアイコンで示されるメモ１００Ａは図１に示すインターネット４０上の電子書籍管理サーバー３０で管理されるメモである。
それに対し、「秘」という文字を付されたアイコンで示されるメモ１００Ｂは、社内文書管理サーバー１０で管理されるメモである。
【００２１】
図６は、図５のメモの内容を展開して表示した例を示す図である。
図６において、図５のメモ１００Ａの内容は、実線の枠で囲んで表示されている。これは、インターネット４０上の電子書籍管理サーバー３０で管理されるメモであることを意味している。
また、図５のメモ１００Ｂの内容は、破線の枠で囲んで表示されている。これは、社内文書管理サーバー１０で管理されるメモであることを意味している。
なお、インターネット上、社内ＬＡＮ上どちらの管理サーバーで管理されるメモであるかを示すのに、メモを囲む枠を実線、破線とする例を示しているが、枠の色や、メモ内容の文字色を変化させることで区別するようにしても良い。
【００２２】
図７は、インターネット上の電子書籍に付与したメモに電子書籍及び社内文書へのリンクが含まれる場合の画面例を示す図である。
図７の例では、インターネット上の電子書籍『ＡＢＣでわかるＸＹＺ入門書』において、メモ１０２Ａ（実線枠）にインターネット４０上の電子書籍『入門ＸＹＺ』へのリンク１０３Ａが含まれ、メモ１０２Ｂ（破線枠）に社内文書『第３回Ｂ戦略会議事録』へのリンク１０３Ｂが含まれている。
尚、リンクは、異なる社内文書へのリンクだけでなく、同一社内文書内でリンクを張っても構わない。
【００２３】
図８は、インターネット上の電子書籍に逆リンクのアイコンが表示される画面例を説明する図であり、図７に示した電子書籍『ＡＢＣでわかるＸＹＺ入門書』からリンクを設定された、インターネット４０上の電子書籍『入門ＸＹＺ』の画面例である。
図８におけるメモ１０４は、無地のアイコンで示されておりインターネット４０上の電子書籍管理サーバー３０で管理されている逆リンクを含むメモであることを示している。
【００２４】
図９は、図８に示すメモ１０４のアイコンを展開した例を示す図である。
メモ１０４を展開したメモ１０５に含まれる逆リンク１０６は、リンク元であるインターネット上電子書籍『ＡＢＣでわかるＸＹＺ入門書』の「ＡＢＣ機能を利用・・・」の箇所からリンクを張られていることが示されている。
尚、このメモ１０５は、は実線枠で示されているので、インターネット上の電子書籍管理サーバー３０で管理されていることを示している。
リンク元もリンク先もインターネット上の電子書籍であることから、メモ１０５を、インターネット上の電子書籍管理サーバー３０に保存してもセキュリティ上の問題はない。
【００２５】
図１０は、社内文書に、電子書籍からの逆リンクのアイコンが表示される画面例を説明する図であり、図７の電子書籍『ＡＢＣでわかるＸＹＺ入門書』からリンクを設定された、社内文書管理サーバー１０上の社内文書『第３回Ｂ戦略会議事録』の画面例である。
逆リンクを含むメモ１０７は、「秘」の文字が付されたアイコンで示されており、社内文書管理サーバー１０上で管理されている逆リンクであることを示している。図９の場合と同じように展開して表示することも可能であるが図は省略する。
【００２６】
図１１は、一つの電子書籍端末１上に複数のコンテンツを画面分割表示によって表示した画例面を示す図である。
上部に表示されたインターネット上の電子書籍『ＡＢＣでわかるＸＹＺ入門書』（図９）から、下部に表示された社内文書管理サーバー１０上の社内文書『第３回Ｂ戦略会議事録』（図１０）へのリンクを設定した画面を示している。
【００２７】
次に、インターネット上の電子書籍管理サーバーにおける電子書籍データ及びメモデータの管理について説明する。
図１２は、図１に示す電子書籍管理サーバー３０の電子書籍データ管理部３３及びメモデータ管理部３１におけるデータの管理方法を説明する図である。
（ａ）は、電子書籍データ管理部３３で管理される電子書籍のデータを示している。
図に示すように、本の書籍ＩＤやタイトル、著者、出版社などの書誌情報と、ユーザーデータを管理するＵＲＬが管理されている。
（ｂ）はメモデータ管理部３１で管理されるメモデータを示している。簡単のため、同一の電子書籍管理サーバー３０の電子書籍へのリンクのみ示している。
ＩＤ欄２００は、メモデータの固有情報である。
また、位置欄２０１について説明すると、電子書籍には「００３−０２５」のような固有の位置情報が付与されており、この位置情報でメモを付ける位置を管理しているものとする。
【００２８】
テキスト欄２０２はメモ情報に付与された文字情報である。テキストが付与されている場合もあれば、テキストが何も付与されていない場合もある。
リンク欄２０３には、電子書籍へのリンクがあればそのリンク先が保存されている。逆リンク欄２０４は、当該電子書籍へのリンクがある場合に、そのリンク元の情報が保存されている。
図１２（ｂ）において、例えば、ＩＤ６のメモには、同一電子書籍内のＩＤ９（位置「０６６−２２１」）のメモへのリンクが設定されている。
また、ＩＤ１０のメモには書籍ＩＤ「５５５−５６７８９０１２３４５」の電子書籍の、位置「０２２−４４２」に対してリンクが張られている。
ＩＤ８のメモには、書籍ＩＤ「２３４−５６７８９０１２３４５」の電子書籍の、位置「００２−１９８」からの逆リンクが張られている。
ＩＤ９のメモには、同一電子書籍内のＩＤ６（位置「０４１−０２５」）のメモへのリンクが設定されている。
【００２９】
図１３は、図１に示す電子書籍管理サーバーにおいて、他の電子書籍管理サーバーで管理されている電子書籍や、社内文書管理サーバーで管理されている社内文書へのリンクや逆リンクが管理されている例を示す図である。
（ａ）は、電子書籍データ管理部３３で管理される電子書籍のデータを示している。
図に示すように、本の書籍ＩＤやタイトル、著者、出版社などの書誌情報と、ユーザーデータを管理するＵＲＬが管理されている。
（ｂ）はメモデータ管理部３１で管理されるメモデータを示している。
ＩＤ欄２１０は、メモデータの固有情報である。また、位置欄２１１は、電子書籍に付与された、電子書籍中のメモの位置を管理する情報である。
テキスト欄２１２はメモ情報に付与された文字情報である。テキストが付与されている場合もあれば、テキストが何も付与されていない場合もある。
リンク欄２１３には、電子書籍へのリンクがあればそのリンク先が保存されている。逆リンク欄２１４は、当該電子書籍へのリンクがあれば、そのリンク元の情報が保存されている。
【００３０】
（ｂ）において、ＩＤ１のメモには社内文書管理サーバー１０で管理されている社内文書へのリンクが張られている。これは後述する図１４のＩＤ３のメモへのリンクである。
ＩＤ３とＩＤ５のメモには、社内文書管理サーバー１０で管理される社内文書から張られているリンクの逆リンクが付与されている。ＩＤ５のメモは図１４のＩＤ６のメモからの逆リンクである。
ＩＤ６のメモには同一の電子書籍管理サーバーで管理されている電子書籍へのリンクが張られている。
ＩＤ７のメモには、他の電子書籍管理サーバーで管理されている電子書籍へのリンクが張られている。
【００３１】
図１４は、図１に示す社内文書管理サーバーの社内文書データ管理部及びメモデータ管理部で管理しているデータの管理方法を説明する図である。
（ａ）は、社内文書データ管理部１２で管理されている社内文書データを示しており、社内文書の書誌情報と管理ＵＲＬが管理されている。
（ｂ）はメモデータ管理部１１で管理されているメモデータであり、ＩＤ欄２２０は、メモデータの固有情報である。また、位置欄２２１について説明すると、社内文書にも固有の位置情報が付与されており、この位置情報でメモを付ける位置を管理しているものとする。テキスト欄２２２はメモ情報に付与された文字情報である。テキストが付与されている場合もあれば、テキストが何も付与されていない場合もある。リンク欄２２３には、電子書籍へのリンクがあればそのリンク先が保存されている。逆リンク欄２２４は、当該電子書籍へのリンクがあれば、そのリンク元の情報が保存されている。
例えば、ＩＤ１のメモには、他の社内文書へのリンクが付与されている。
ＩＤ４のメモには、インターネット上の電子書籍からの逆リンクが付与されている。この例では図１３のＩＤ１のメモからのリンクである。
ＩＤ５のメモには、他の社内文書からの逆リンクが付与されている。
ＩＤ６のメモには、電子書籍へのリンクが付与されている。この例では、図１３のＩＤ５へのリンクである。
【００３２】
次に、本発明の電子書籍端末におけるコンテンツ管理について説明する。
図１５は、電子書籍端末におけるコンテンツの管理画面を説明する図である。
電子書籍端末は過去に開いたコンテンツの情報を図３に示す主記憶装置７３で管理している。
コンテンツのタイトル２３０、コンテンツの保存元２３１、メモの保存先２３２がセットになって管理されており、図１５のように一覧を表示させることが出来る。
図中、反転表示された２番目のコンテンツ『第３回ＡＢＣプロジェクト定例議事録』は、２４０欄に示されるように社内文書管理サーバー１０で管理されている社内文書であり、メモデータも、２４１欄に示されるように社内文書管理サーバー１０で管理されていることが分かる。
また、４番目のコンテンツ『猫と暮らす〜東京下町商店街〜』はインターネット上の電子書籍管理サーバー３０で管理されている電子書籍である。
この本は業務とは関係ない私的な購入物であり、２４２欄、２４３欄に示すようにメモデータもインターネット上の電子書籍管理サーバー３０で管理されている。
３番目のコンテンツ『ＩＴ市場調査２００９』は、２４４欄に示されるようにインターネット上の電子書籍管理サーバー３０で管理されている電子書籍であるが、業務上必要なので会社の予算で購入したものであり、２４５欄に示されるようにメモデータは全て社内文書管理サーバー１０で管理されている。
【００３３】
１番目のコンテンツ『５分でわかるＸＹＺ』は、２４６欄に示されるようにインターネット上の電子書籍管理サーバー３０で管理されている電子書籍であり、メモデータは業務に関係のあるものと、企業機密を含まず、公の場で他の人に覗き込まれても問題のない個人の自己研鑽のための書き込みやリンクの２種類があり、メモデータは、２４７欄に示されるように、社内文書管理サーバー１０とインターネット上の電子書籍管理サーバー３０の両方に渡って管理されている。
タッチパネル７６（図２）の機能により、液晶パネル５２に表示される「開く」ボタン２５０を押下（選択）することにより、電子書籍端末１で開くコンテンツを変更できる。また、「設定変更」ボタン２５１押下（選択）により、メモデータの保存先も変更できる。
例えば、８番目の電子書籍『職場カイゼンの秘訣１００』は、２４８欄に示すように、メモの保存先はインターネット上の電子書籍管理サーバー３０になっているが、主に業務に関係の書き込みを行いたいので、保存先を社内文書管理サーバー１０に変更し、メモは全て自動的に社内文書管理サーバー１０に保存されるように設定を変更することが出来る。
【００３４】
次に、本発明の電子書籍端末におけるリンクの設定について説明する。
図１６は、電子書籍端末１のリンクの設定画面について説明する図である。
メモに対してリンクの設定を行う場合、図３のコンテンツ管理部８８によってコンテンツの履歴が呼び出され、リンク先に設定したいコンテンツの一覧が表示される。ここからリンクを設定したいコンテンツを選ぶ。
または、「検索」ボタン２６０押下により、図３のＷｅｂブラウザ８７で当端末の履歴情報では管理されていないが、インターネット上で既に購入済みで、他の電子書籍端末で閲覧してメモを付与した電子書籍を探したり、社内文書管理サーバー１０上にありユーザーにアクセス権のある社内文書を探したりして、コンテンツを選択することも出来るものとする。
【００３５】
図１７は、図１６に示す設定画面で２番目のコンテンツ『第３回ＡＢＣプロジェクト定例議事録』を選択した場合の例を示す図である。
本発明の電子書籍端末では、自分の作成したメモ以外にも、アクセス権があれば他のユーザーの作成したメモも閲覧することが可能であり、これらのメモに対してリンクを設定することが出来る。
ユーザーは図１７のリストからリンクをしたい箇所のメモを選んでリンクを設定することが出来る。
【００３６】
図１８は、１つのコンテンツに対して複数のユーザーのつけたメモのうち、アクセス権のあるものを表示した画面例を示す図である。
一番上のメモ１０８は本電子書籍端末のユーザーである、理光  太郎がインターネット上に保存したリンクである。残り二つのメモ１０９、１１０は、他の２人のユーザーが社内文書管理サーバー１０に保管しているメモである。勿論他人のリンクや逆リンクを表示することも可能である。
【００３７】
以下に、本発明の電子書籍端末においてコンテンツに対してメモをつけ、それを社内文書管理サーバーと電子書籍管理サーバーのどちらに保存するかを決定する処理例を説明する。
図１９は、電子書籍端末でコンテンツに対してメモを付け、サーバー上に保存する設定を決定する第１の処理例を説明するフローチャートである。
電子書籍端末において、メモ作成部８１によってメモが作成された時、図３に示したメモ管理部８２は、コンテンツ表示部８０によって表示されているコンテンツが社内文書であるか否かを判断し（ステップＳ１０１）、コンテンツが社内文書であれば（ステップＳ１０１でＹｅｓ）、メモを社内文書管理サーバー１０に保存するよう設定する（ステップＳ１０２）。
それに対し、コンテンツが、インターネット４０上の電子書籍である場合（ステップＳ１０１でＮｏ）、電子書籍端末の設定が社内に保存するようになっているかをチェックする（ステップＳ１０３）。
【００３８】
社内文書管理サーバー１０に保存するよう端末が設定されている場合は（ステップＳ１０３でＹｅｓ）、メモ管理部８２は、メモを社内文書管理サーバー１０に保存するよう設定する（ステップ１０２）。
逆にインターネット４０上に保存するように電子書籍端末が設定されている場合は、メモ管理部８２はメモをインターネット４０上の電子書籍管理サーバー３０に保存するよう設定する（ステップＳ１０４）。
尚、実際の保存はメモを作成・更新する毎に随時行っても良いし、メモ管理部８２でメモの情報を管理しておき、手動、一定時間毎、一定容量に達する毎、ネットワークに接続するタイミングのいずれかでメモ情報をまとめてアップロードするようにしてもよい。
尚、メモの保存先は後からでも変更可能であるとする。また、電子書籍の全メモの保存先を一斉に変更することも可能であるとする。
【００３９】
図２０は、電子書籍端末でコンテンツに対してメモを付け、サーバー上に保存する設定を決定する第２の処理例を説明するフローチャートである。
電子書籍端末において、メモ作成部８１によってメモが作成された時、メモ管理部８２は、コンテンツ表示部８０によって表示されているコンテンツが社内文書であるか否かを判断する（ステップＳ２０１）。
コンテンツが社内文書であれば（ステップＳ２０１でＹｅｓ）、図３のメモ管理部８２はメモを社内文書管理サーバー１０に保存するよう設定する（ステップＳ２０２）。
コンテンツがインターネット４０上の電子書籍の場合以下のフローに従う。
まず、図３に示す電子書籍端末のコンテンツ管理部８９はコンテンツ毎のメモの保存先を記憶する。
次いで、メモ管理部８２は、電子書籍端末の設定がどこに保存する設定になっているかをチェックする（ステップＳ２０３）。
メモを社内文書管理サーバー１０上に保存する設定であれば（ステップＳ２０３でＹｅｓ）、図３のメモ管理部８２はメモを社内文書管理サーバー１０上に保存するよう管理し（ステップＳ２０２）、インターネット上に保存する設定であれば（ステップＳ２０３でＮｏ）、インターネット４０上の電子書籍管理サーバーに保存するようメモを管理する（ステップＳ２０４）。
【００４０】
図２１は、電子書籍端末でコンテンツに対してメモを付け、サーバー上に保存する設定を決定する第３の処理例を説明するフローチャートである
電子書籍端末において、メモ作成部８１によってメモが作成された時、メモ管理部８２は、コンテンツ表示部８０によって表示されているコンテンツが社内文書であるか否かを判断する（ステップＳ３０１）。
コンテンツが社内文書であれば（ステップＳ３０１でＹｅｓ）、図３のメモ管理部８２はメモを社内文書管理サーバー１０に保存するよう設定する（ステップＳ３０２）。
コンテンツがインターネット４０上の電子書籍の場合（ステップＳ３０１でＮｏ）、補メモを社内文書管理サーバー１０に保存するか、インターネット４０上の電子書籍管理サーバーに保存するかをユーザーに選択させるためのダイアログを表示する（ステップＳ３０３）。
社内文書管理サーバーへの保存が選択されると（ステップＳ３０４でＹｅｓ）、図３のメモ管理部８２は、メモを社内文書管理サーバー１０に保存するように設定する（ステップＳ３０２）。インターネット４０上の電子書籍管理サーバーへの保存が選択されると、メモ管理部８２は、インターネット４０上の電子書籍管理サーバーにメモを保存するように設定する（ステップＳ３０５）。
【００４１】
図２２は、電子書籍端末でコンテンツに対してメモを付け、サーバー上に保存する設定を決定する第４の処理例を説明するフローチャートである。
電子書籍端末において、メモ作成部８１によってメモが作成された時、メモ管理部８２は、コンテンツ表示部８０によって表示されているコンテンツが社内文書であるか否かを判断する（ステップＳ４０１）。
コンテンツが社内文書であれば（ステップＳ４０１でＹｅｓ）、メモ管理部８２はメモを社内文書管理サーバー１０に保存するよう設定する（ステップＳ４０２）。
コンテンツがインターネット４０上の電子書籍で（ステップＳ４０１でＮｏ）、さらに社内無線ＬＡＮを利用中（無線ＬＡＮアクセスポイント５２から社内ＬＡＮ２０に接続）であれば（ステップＳ４０３でＹｅｓ）、図３のメモ管理部８２はメモを社内文書管理サーバー１０に保存するよう設定する（ステップＳ４０２）。
社内無線ＬＡＮを利用中していない場合は、図３のメモ管理部８２はメモをインターネット４０上の電子書籍管理サーバー３０に保存するよう設定する（ステップＳ４０４）。
【００４２】
図２３は、電子書籍端末でコンテンツに対してメモを付け、サーバー上に保存する設定を決定する第５の処理例を説明するフローチャートである。
この処理例は、図２２に示した処理例の別例となる。
電子書籍端末において、メモ作成部８１によってメモが作成された時、メモ管理部８２は、コンテンツ表示部８０によって表示されているコンテンツが社内文書であるか否かを判断する（ステップＳ５０１）。
コンテンツが社内文書であれば（ステップＳ５０１でＹｅｓ）、メモ管理部８２はメモを社内文書管理サーバー１０に保存するよう設定する（ステップＳ５０２）。
コンテンツがインターネット４０上の電子書籍で（ステップＳ５０１でＮｏ）、さらに社内無線ＬＡＮを利用中（無線ＬＡＮアクセスポイント５２から社内ＬＡＮ２０に接続）で（ステップＳ５０４でＹｅｓ）、図４の社内のプロキシサーバー２２、ファイアウォール２４を経由してインターネット４０に接続されている場合（ステップＳ５０４でＹｅｓ）、インターネット４０上の電子書籍管理サーバー３０に保存するように設定する（ステップＳ５０５）。
【００４３】
また、社内無線ＬＡＮを利用中で（ステップＳ５０３でＹｅｓ）、インターネットには接続されていない場合（ステップＳ５０４でＮｏ）、社内文書管理サーバー１０に保存するように設定する。
さらに、社内無線ＬＡＮを利用していなければ（ステップＳ５０３でＮｏ）、インターネット４０上の電子書籍管理サーバーに保存する設定を行う（ステップＳ５０５）。
社内無線ＬＡＮを利用中していない場合は、図３のメモ管理部８２はメモをインターネット４０上の電子書籍管理サーバー３０に保存するよう設定する（ステップＳ５０４）。
【００４４】
図２４は、電子書籍端末でコンテンツに対してメモを付け、サーバー上に保存する設定を決定する第６の処理例を説明するフローチャートである。
電子書籍端末において、メモ作成部８１によってメモが作成された時、メモ管理部８２は、コンテンツ表示部８０によって表示されているコンテンツが社内文書であるか否かを判断する（ステップＳ６０１）。
コンテンツが社内文書であれば（ステップＳ６０１でＹｅｓ）、メモ管理部８２はメモを社内文書管理サーバー１０に保存するよう設定する（ステップＳ６０２）。
コンテンツがインターネット４０上の電子書籍で（ステップＳ６０１でＮｏ）、図３に示すＶＰＮクライアント８８を利用して、図３に示すファイアウォール２４、ＶＰＮサーバー２３を経由して企業内ＬＡＮ２０にリモートアクセスしている場合（ステップＳ６０３でＹｅｓ）、図３のメモ管理部８２はメモを社内文書管理サーバー１０に保存するよう設定する。
そうでない場合は（ステップＳ６０３でＮｏ）、メモ管理部８２はメモをインターネット４０上の電子書籍管理サーバー３０にメモを保存するよう設定する。
【００４５】
次に、本発明の電子書籍端末におけるリンクの保存方法について説明する。
図２５は、２つのコンテンツの間にリンクを設定する場合の処理例を説明するフローチャートである。
リンク（リンクを含むメモ）を作成した時、コンテンツ表示部８０により表示しているコンテンツが社内文書であるか否かを判断し（ステップＳ７０１）、社内文書であれば（ステップＳ７０１でＹｅｓ）、図３のリンク管理部８４はリンクを社内文書管理サーバー１０に保存するよう設定する。
表示しているコンテンツがインターネット４０上の電子書籍の場合（ステップＳ７０１でＮｏ）は、以下のフローに従う。
リンクを張られる側のコンテンツが社内文書であれば（ステップＳ７０３でＹｅｓ）、リンク管理部８４はリンクを社内文書管理サーバー１０に保存するよう設定する。
リンクを張られる側のコンテンツがインターネット上の電子書籍であれば（ステップＳ７０３でＮｏ）、リンク管理部８４は、リンクをインターネット４０上の電子書籍管理サーバーに保存するよう設定する。
尚、リンクを張られる側のコンテンツがインターネット上の電子書籍であっても、リンクを社内文書管理サーバー１０に保存するよう設定することも可能であるとする。
【００４６】
図２６は、２つのメモの間にリンクを設定する場合の別の処理例を説明するフローチャートである。
あるコンテンツにリンクを作成すると、リンク管理部８４は、リンクをされたコンテンツに対して、リンクを張られたことを示す逆リンクを付与する。
リンクされたコンテンツが社内文書であれば（ステップＳ８０１でＹｅｓ）、リンク管理部８４は逆リンクを社内文書管理サーバー１０に保存するよう設定する（ステップＳ８０２）。
それに対し、リンクされたコンテンツがインターネット上の電子書籍の場合（ステップＳ８０１でＮｏ）、以下のフローに従う。
リンクした側のコンテンツが社内文書であれば（ステップＳ８０３でＹｅｓ）、リンク管理部８４は、逆リンクを社内文書管理サーバー１０に保存するよう設定する（ステップＳ８０２）。
リンクした側のコンテンツがインターネット上の電子書籍であれば（ステップＳ８０３でＮｏ）、リンク管理部８４は逆リンクをインターネット４０上の電子書籍管理サーバー３０に保存するよう設定する。
尚、リンクを張る側のコンテンツがインターネット上の電子書籍であっても、逆リンクを社内文書管理サーバー１０に保存するよう設定することも可能であるとする。
社内文書との間にリンクを設定する場合は、リンクを含むメモデータは、インターネット４０上の電子書籍管理サーバー３０ではなく、社内文書管理サーバー１０上に保存することで、セキュリティを高めることができる。
【００４７】
次に、電子書籍端末が表示コンテンツを選択し、コンテンツとメモデータを端末にダウンロードするまでのフローを場合毎に説明する。
図２７は、社外でインターネット４０上の電子書籍管理サーバー上の電子書籍を表示する際、メモデータも同一のサーバー上にある場合の処理例を示すフローチャートである。
端末上でコンテンツが選択されると（ステップＳ１００１）、端末は公衆移動体通信網を介するなどして、インターネット上の電子書籍管理サーバー３０にアクセスし、社内文書のダウンロードの要求を行う（ステップＳ１００２）。
ここで電子書籍管理サーバー３０の認証部３６によりユーザー認証が要求される（ステップＳ１１０１）ので、端末から認証情報を送信する（ステップＳ１００３）。
サーバー側で認証が完了すると（ステップＳ１１０２）、サーバー側で、当該コンテンツが購入済みかどうかが確認され、端末から要求されたコンテンツが送信される（ステップＳ１１０３）。
コンテンツを受信（ステップＳ１００４）した端末は、次にインターネット上の電子書籍管理サーバー３０に対してメモデータのダウンロードを要求する（ステップＳ１００４）。
それをうけて、電子書籍管理サーバー３０は、電子書籍端末１にメモデータを送信し（ステップＳ１１０４）、電子書籍端末１は、送信されたメモデータを受信する（ステップＳ１００６）。
以上のように制御することにより、ユーザーは異なる電子書籍端末を使っても、購入済みのコンテンツを閲覧することが出来る。また、メモデータも復元されているので、続けてメモを取りながら読んだり、メモを頼りに情報収集を行ったりすることが出来る。
【００４８】
図２８は、社外でインターネット４０上の電子書籍管理サーバー３０上の電子書籍を表示する際、メモデータは企業の社内ＬＡＮ上のサーバーに保存されている場合の処理例を示すフローチャートである。
インターネット４０上の電子書籍管理サーバーからコンテンツとメモデータを取得する部分は図２６の場合と同様である。
すなわち、電子書籍端末１上でコンテンツが選択されると（ステップＳ１２０１）、電子書籍端末１は公衆移動体通信網を介するなどして、インターネット上の電子書籍管理サーバー３０にアクセスし、社内文書のダウンロードの要求を行う（ステップＳ１２０２）。
【００４９】
ここで電子書籍管理サーバー３０の認証部３６によりユーザー認証が要求される（ステップＳ１３０１）ので、電子書籍端末１から認証情報を送信する（ステップＳ１２０３）。
サーバー側で認証が完了すると（ステップＳ１３０２）、サーバー側で、当該コンテンツが購入済みかどうかが確認され、電子書籍端末１から要求されたコンテンツが送信される（ステップＳ１３０３）。
コンテンツを受信した（ステップＳ１２０４）電子書籍端末１は、次にインターネット上の電子書籍管理サーバー３０に対してメモデータのダウンロードを要求する（ステップＳ１２０４）。
それをうけて、電子書籍管理サーバー３０は、電子書籍端末１にメモデータを送信し（ステップＳ１３０４）、電子書籍端末１は送信されたメモデータを受信する（ステップＳ１２０９）。
【００５０】
ここで、社内文書管理サーバー１０にあるメモデータを取得する場合、インターネット４０を介して企業内ＬＡＮ２０のファイアウォール２４の内側にあるＶＰＮサーバー２３に接続して社内ＬＡＮにリモートアクセスする必要がある。
図３に示すＶＰＮクライアント８８は、ＶＰＮサーバー２３に接続要求を行う（ステップＳ１２０５）。ＶＰＮサーバー２３は、それに対して認証要求を行い（ステップＳ１４０１）、ＶＰＮクライアント８８は認証情報を送信する（ステップＳ１２０６）。
認証が完了すると（ステップＳ１４０２）、ＶＰＮ接続が確立され（ステップＳ１４０３）、社内ＬＡＮにリモートアクセスへのリモートアクセスが可能となる。
【００５１】
次に、電子書籍端末１は、社内ＬＡＮ上にある社内文書管理サーバー１０にアクセスし、メモデータの取得要求を行う（ステップＳ１２０７）。アクセス時に社内文書管理サーバー１０はユーザー認証を要求する（ステップＳ１５０１）。
それに対し、電子書籍端末１は認証情報を送信し（ステップＳ１２０８）、認証が成功すると、社内文書管理サーバー１０はメモデータを電子書籍端末１に送信し（ステップＳ１５０３）、電子書籍端末１は許可されたメモデータを受信する。
ここで、図１７の説明で述べたように、自分以外の作成したメモでも閲覧権限があれば、ダウンロード出来るようにしても良い。
尚、ＶＰＮサーバーはファイアウォールの外側に設定する場合もあるが、本発明の手続きには影響はない。
全てのメモが社内文書管理サーバー１０に保存されている場合は、インターネット４０上の電子書籍管理サーバー３０からメモを取得するステップは省略される。
【００５２】
図２９は、社外で、社内ＬＡＮ上にある社内文書管理サーバー１０上の社内文書を表示する際に、コンテンツ及びメモを受信する処理例を示すフローチャートである。
図２８の場合と同様に、表示するコンテンツを選択後（ステップＳ１６０１）、ＶＰＮの認証を行って（Ｓ１６０２：端末によるＶＰＮ接続要求→Ｓ１７０１：ＶＰＮサーバーによる認証要求→Ｓ１６０３：認証情報の送信→Ｓ１７０２：認証完了→Ｓ１７０３：ＶＰＮ接続完了）、社内ＬＡＮにリモートアクセスし、社内文書管理サーバー１０に社内文書取得要求すると（ステップＳ１６０４）、社内文書管理サーバー１０へのアクセス時にユーザー認証が要求されるので（ステップＳ１８０１）、電子書籍端末１は、認証データを社内文書管理サーバー１０に対して送信する（ステップＳ１６０５）。
認証が成功（完了）すると（ステップＳ１８０２）、社内文書管理サーバー１０は、要求されたコンテンツを電子書籍端末１に対して送信する（ステップＳ１８０３）。
コンテンツを受信（ステップＳ１６０６）した電子書籍端末１は、次いでメモデータを社内文書管理サーバー１０に要求する（ステップＳ１６０７）。
要求を受けて、社内文書管理サーバー１０は、メモデータを電子書籍端末１に対して送信し（ステップＳ１８０４）、電子書籍端末１は、送信されたメモデータを受信する（ステップＳ１６０８）。
尚、社内文書なので、インターネット上にはメモデータは存在しない。
【００５３】
図３０は、社内で、社内ＬＡＮ上にある社内文書管理サーバー１０上の社内文書を表示する際コンテンツ及びメモを受信する処理例を示すフローチャートである。
電子書籍端末１においてコンテンツが選択され（ステップＳ１９０１）、社内文書管理サーバー１０に社内文書取得要求がされると（ステップＳ１９０２）、社内文書管理サーバー１０へのアクセス時に、社内文書管理サーバー１０は認証を要求する（ステップＳ２００１）。
電子書籍端末１から認証データを送信し（ステップＳ１９０３）、認証が成功すると（ステップＳ２００２）、社内文書管理サーバー１０はコンテンツを電子書籍端末１に送信する（ステップＳ２００３）。コンテンツを受信した（ステップＳ１９０４）電子書籍端末１は、メモデータを社内文書管理サーバー１０に要求し（ステップＳ１９０５）する。
要求を受けた社内文書管理サーバー１０は、メモデータを端末１に対して送信し（ステップＳ２００４）、電子書籍端末１は、送信されたメモデータを受信する（ステップＳ１９０６）。
尚、社内文書なので、インターネット上にはメモデータは存在しない。
【００５４】
図３１は、社内で、インターネット４０上の電子書籍管理サーバー上の電子書籍を表示する際、公衆移動体通信網を介した通信が可能な場合の例を示すフローチャートである。
まず、公衆移動体通信網を介して、インターネット上の電子書籍管理サーバーにアクセスし、認証を行った後、コンテンツとメモデータを得る。
詳しくは、電子書籍端末１においてコンテンツが選択され（ステップＳ２１０１）、インターネット上の電子書籍管理サーバー３０に社内文書取得要求がされると（ステップＳ２１０２）、電子書籍管理サーバー３０へのアクセス時に、電子書籍管理サーバー３０は認証を要求する（ステップＳ２２０１）。
電子書籍端末１から認証データを送信し（ステップＳ２１０３）、認証が成功すると（ステップＳ２２０２）、電子書籍管理サーバー３０は、コンテンツを電子書籍端末１に送信する（ステップＳ２２０３）。コンテンツを受信（ステップＳ２１０４）した電子書籍端末１は、メモデータを電子書籍管理サーバー３０に要求（ステップＳ２１０６）する。
要求を受けた電子書籍管理サーバー３０は、メモデータを電子書籍端末１に対して送信し（ステップＳ２２０４）、電子書籍端末１は、送信されたメモデータを受信する（ステップＳ２１０６）。
【００５５】
次に、無線ＬＡＮ経由で社内文書管理サーバー１０にアクセスし、認証を行った後、メモデータを得る。
すなわち、無線ＬＡＮアクセスポイント５２を経由して企業内ＬＡＮに接続し、社内文書管理サーバー１０にメモデータを要求すると（ステップＳ２１０７）、社内文書管理サーバーは、認証を要求する（ステップＳ２３０１）。
それに対し、電子書籍端末１は、認証情報を社内文書管理サーバーに送信する（ステップＳ２１０８）。
その結果認証が完了すると（ステップＳ２３０２）、社内文書管理サーバー１０は、メモデータを電子書籍端末１に送信し（ステップＳ２３０３）、電子書籍端末１は送信されたメモデータを受信する。
インターネット上の電子書籍管理サーバー３０上にメモデータがない場合、電子書籍管理サーバー３０からメモデータを取得するステップは省略してよい。
また、社内文書管理サーバー１０上にメモデータがない場合、社内文書管理サーバー１０からメモデータを取得するステップは省略してよい。
【００５６】
図３２は、社内で、インターネット４０上の電子書籍管理サーバー上の電子書籍を表示する際、無線ＬＡＮアクセスポイントを介して、社内ＬＡＮにアクセスし、さらに図４のプロキシサーバー２２を介してインターネットに接続する場合の処理例を示すフローチャートである。
電子書籍端末１においてコンテンツが選択され（ステップＳ２４０１）、インターネット上の電子書籍管理サーバー３０への接続を試みると、まずは社内ＬＡＮのプロキシサーバー２２に接続することになる（ステップＳ２４０２）。
これは企業からインターネット接続を行うのに用いられている周知の方法である。
プロキシサーバー２２は電子書籍端末１からの接続要求があると、認証要求を行い（ステップＳ２６０１）、電子書籍端末１から認証情報を送信する（ステップＳ２４０３）。
プロキシサーバー２２との認証が完了して（ステップＳ２６０２）、インターネット接続が許可されると（ステップＳ２６０３）、電子書籍端末１はプロキシサーバー２２を介してインターネット通信が可能となる。
【００５７】
電子書籍端末１は、プロキシサーバー２２の中継受けながら、インターネット上の電子書籍管理サーバー３０にアクセスし、認証を行った後、コンテンツとメモデータを得る。
すなわち、電子書籍端末１がコンテンツの要求を行うと（ステップＳ２４０４）、電子書籍管理サーバー３０は、認証要求を行い（ステップＳ２７０１）、電子書籍端末１は、それに対し、電子書籍管理サーバー３０に対して認証情報を送信する（ステップＳ２４０５）。
認証が完了すると（ステップＳ２７０２）、電子書籍管理サーバー３０は、電子書籍端末１に対してコンテンツを送信する（ステップＳ２７０３）。
電子書籍端末１は、コンテンツを受信すると（ステップＳ２４０６）、電子書籍管理サーバー３０にお対してメモデータの要求を行う（ステップＳ２４０７）。
【００５８】
それに対し、電子書籍管理サーバー３０は、メモデータを電子書籍端末１に対して送信し（ステップＳ２７０４）する。
メモデータを受信した（ステップＳ２４０８）電子書籍端末１は、無線ＬＡＮ経由で社内文書管理サーバー１０にアクセスし、社内文書管理サーバー１０にメモデータの要求を行う（ステップＳ２４０９）。
要求を受けた社内文書管理サーバー１０は、電子書籍端末１に対して認証要求を行い（ステップＳ２５０１）、電子書籍端末１は、それに対し、認証情報を社内文書管理サーバー１０に送信する（ステップＳ２４１０）。
その結果、認証が完了すると（ステップＳ２５０２）、社内文書管理サーバー１０はメモデータを電子書籍端末１に送信し、電子書籍端末１は送信されたメモデータを受信する。
なお、以上のステップにうち、電子書籍端末１と電子書籍管理サーバー３０との間
で行われる全ての通信は、プロキシサーバー２２の中継により実現されるものである。
【００５９】
次に、メモの作成フローについて、説明する。
図３３は、インターネット上の電子書籍管理サーバー３０で管理するメモデータの登録処理を示すフローチャートである。
電子書籍管理サーバー３０、プロキシサーバー２２との認証に関しては、これまでの図で示した通りであるので省略する。
電子書籍端末１においてメモが作成されると、電子書籍端末１は、メモデータを電子書籍管理サーバー３０に送信し、図１に示すメモデータ管理部３１は、図１２（ｂ）、または図１３（ｂ）に示すメモデータを更新する（ステップＳ２９０１）。
【００６０】
図３４は、社内文書管理サーバー１０で管理するメモデータの登録処理を示すフローチャートである。
社内文書管理サーバー１０、ＶＰＮサーバーとの認証に関しては、これまでの図で示した通りであるので省略する。
電子書籍端末１においてメモが作成されると、電子書籍端末１は、メモデータを社内文書管理サーバー１０に送信し、図１に示すメモデータ管理部１１は、図１４（ｂ）に示すメモデータを更新する（ステップＳ２９０１）。
【００６１】
次にリンクデータの登録フローについて説明する。
図３５は、同一の電子書籍管理サーバーで管理される電子書籍の間にリンクを張る場合の処理を示すフローチャートである。
以下の説明では、電子書籍管理サーバー３０、プロキシサーバー２２との認証に関しては、これまでの図で示した通りであるので省略する。
同一の電子書籍管理サーバーで管理される２つの電子書籍、電子書籍Ｘ及び電子書籍Ｙがあるとき、電子書籍Ｘについて作成したメモに、電子書籍Ｙについて作成したあるメモへのリンクを張った場合（ステップＳ３２０１）、まず電子書籍端末１は、電子書籍管理サーバー３０に電子書籍Ｘのメモに追加すべきリンクを送信する（ステップＳ３２０２）。
このデータを受信した電子書籍管理サーバー３０は、電子書籍Ｘのメモデータに電子書籍Ｙにおける指定されたメモへのリンクを追加して図１２（ｂ）のメモデータを更新する（ステップＳ３３０１）。
次に電子書籍端末１は、電子書籍管理サーバー３０に電子書籍Ｙのメモに追加すべき逆リンクを送信する（ステップＳ３２０３）。
このデータを受信した電子書籍管理サーバー３０は、電子書籍Ｙのメモデータに電子書籍Ｘの指定されたメモからの逆リンクを追加して図１２（ｂ）のメモデータをお更新する（ステップＳ３３０２）。
【００６２】
図３６は、異なる電子書籍管理サーバーで管理される電子書籍の間にリンクを張る場合の処理を示すフローチャートである。
インターネット上の電子書籍管理サーバー７０−１上の電子書籍Ｘについて作成したメモに、もう一つの電子書籍管理サーバー７０−２上の電子書籍Ｙについて作成したメモへのリンクを張った場合（ステップＳ３４０１）、まず電子書籍端末１は、電子書籍管理サーバー３０−１に電子書籍Ｘのメモに追加すべきリンクを送信する（ステップＳ３４０２）。
このデータを受信した電子書籍管理サーバー３０−１は、電子書籍Ｘのメモデータに電子書籍Ｙにおける指定されたメモへのリンクを追加して図１３（ｂ）のメモデータを更新する（ステップＳ３５０１）。
次に電子書籍端末１は、電子書籍管理サーバー３０−２に電子書籍Ｙのメモに追加すべき逆リンクを送信する（ステップＳ３４０３）。
このデータを受信した電子書籍管理サーバー３０−２は、電子書籍Ｙのメモデータに電子書籍Ｘの指定されたメモからの逆リンクを追加して図１３（ｂ）のメモデータを更新する（ステップＳ３６０１）。
【００６３】
図３７は、社内文書に対してインターネット上の電子書籍へのリンクを作成する場合の処理を示すフローチャートである。
以下の説明では、電子書籍管理サーバー３０、プロキシサーバー２２、社内文書管理サーバー１０、ＶＰＮサーバーとの認証に関しては、これまでの図で示した通りであるので省略する。
社内文書のとあるメモにインターネット上の電子書籍のあるメモへのリンクを張った場合（ステップＳ３７０１）、まず電子書籍端末１は、社内文書管理サーバー１０に社内文書のメモに追加すべきリンクを送信する（ステップＳ３７０２）。
このデータを受信した社内文書管理サーバー１０は、社内文書のメモデータに電子書籍の指定されたメモへのリンクを追加して図１４（ｂ）のメモデータを更新する。
次に電子書籍端末１は、社内文書管理サーバー１０に電子書籍のメモに追加すべき逆リンクを送信する（ステップＳ７０３）。
このデータを受信した社内文書管理サーバー１０は、電子書籍のメモデータに社内文書の指定されたメモからの逆リンクを追加して、図１４（ｂ）のメモデータを更新する。
【００６４】
図３８は、インターネット上の電子書籍に対して、社内文書へのリンクを作成する場合の処理を示すフローチャートである。
以下の説明では、電子書籍管理サーバー３０、プロキシサーバー２２、社内文書管理サーバー１０、ＶＰＮサーバー２３との認証に関しては、これまでの図で示した通りであるので省略する。
電子書籍のとあるメモに、社内文書のあるメモへのリンクを張った時（ステップＳ３９０１）、まず電子書籍端末１は、社内文書管理サーバー１０に電子書籍のメモに追加すべきリンクを送信する（ステップＳ３９０２）。
このデータを受信した社内文書管理サーバー１０は、電子書籍のメモデータに社内文書の指定されたメモへのリンクを追加して電子書籍メモデータを更新する（ステップＳ４００１）。
次に電子書籍端末１は、社内文書管理サーバー１０に社内文書のメモに追加すべき逆リンクを送信する（ステップＳ３９０３）。
このデータを受信した社内文書管理サーバー１０に管理サーバーは、社内文書のメモデータに電子書籍の指定されたメモからの逆リンクを追加して社内文書のメモデータを更新する（ステップＳ４００２）。
【００６５】
図３７の場合では、電子書籍の社内文書からの逆リンクは、社内文書管理サーバー１０で管理するようにしたが、電子書籍管理サーバー３０で管理するようにしても構わない。また、図３８の場合では電子書籍の社内文書へのリンクは社内文書管理サーバー１０で管理するようにしたが、電子書籍管理サーバー３０で管理するようにしても構わない。これらの場合、図３６の場合と同様に、インターネット上の電子書籍管理サーバー３０と企業内ＬＡＮ上の社内文書管理サーバー１０の両方にアクセスすることになる。
【符号の説明】
【００６６】
１  電子書籍端末、１０  社内文書管理サーバー、１１  メモデータ管理部、１２  社内文書データ管理部、１３  社内文書登録部、１４  端末情報管理部、１５  認証部、２０  企業内ＬＡＮ、２１  無線ＬＡＮアクセスポイント、２２  プロキシサーバー、２３  ＶＰＮサーバー、２４  ファイアウォール、２６  タッチパネル、３０  電子書籍管理サーバー、３１  メモデータ管理部、３２  コンテンツ販売部、３３  電子書籍データ管理部、３４  端末情報管理部、３５  課金部、３６  認証部、４０  インターネット、４２  公衆移動体通信網、４３  アクセスポイント、５０  社内ＬＡＮ、５２  表示部、５２  無線ＬＡＮアクセスポイント、７０  電子書籍管理サーバー、７１  ＣＰＵ、７２  表示部、７３  主記憶装置、７４  バッテリー、７５  ビデオコントローラ、７６  タッチパネル、７７  無線ＬＡＮインターフェイス
７８  公衆移動体通信インターフェイス、７９  バス、８０  コンテンツ表示部、８１  メモ作成部、８２  メモ管理部、８３  メモ表示部、８４  リンク管理部、８５  ユーザー認証部、８６  バッテリー管理部、８７  Ｗｅｂブラウザ、８８  ＶＰＮクライアント、８９  コンテンツ管理部、９０  端末情報管理部
【先行技術文献】
【特許文献】
【００６７】
【特許文献１】特許第３５６５４８２号
【図１】
0005418398.tif 000002
【図２】
0005418398.tif 000003
【図３】
0005418398.tif 000004
【図４】
0005418398.tif 000005
【図５】
0005418398.tif 000006
【図６】
0005418398.tif 000007
【図７】
0005418398.tif 000008
【図８】
0005418398.tif 000009
【図９】
0005418398.tif 000010
【図１０】
0005418398.tif 000011
【図１１】
0005418398.tif 000012
【図１２】
0005418398.tif 000013
【図１３】
0005418398.tif 000014
【図１４】
0005418398.tif 000015
【図１５】
0005418398.tif 000016
【図１６】
0005418398.tif 000017
【図１７】
0005418398.tif 000018
【図１８】
0005418398.tif 000019
【図１９】
0005418398.tif 000020
【図２０】
0005418398.tif 000021
【図２１】
0005418398.tif 000022
【図２２】
0005418398.tif 000023
【図２３】
0005418398.tif 000024
【図２４】
0005418398.tif 000025
【図２５】
0005418398.tif 000026
【図２６】
0005418398.tif 000027
【図２７】
0005418398.tif 000028
【図２８】
0005418398.tif 000029
【図２９】
0005418398.tif 000030
【図３０】
0005418398.tif 000031
【図３１】
0005418398.tif 000032
【図３２】
0005418398.tif 000033
【図３３】
0005418398.tif 000034
【図３４】
0005418398.tif 000035
【図３５】
0005418398.tif 000036
【図３６】
0005418398.tif 000037
【図３７】
0005418398.tif 000038
【図３８】
0005418398.tif 000039